(57)【要約】      （修正有）【課題】発光ダイオードモジュールアレイから組み立てられる大型の発光ダイオードディスプレイの視認可能な格子線を削減または排除することができる改善された発光ダイオードモジュールを提供すること。【解決手段】発光ダイオードディスプレイは発光ダイオードモジュールアレイを有する。各ダイオードモジュール２０は４つの歯状側壁を有する。歯状側壁は、隣接する発光ダイオードモジュール２０における対応する適合形状を有する歯状側壁２８に当接して、当該当接する歯状側壁２８間に歯状継ぎ目を形成するようにそれぞれ構成される。【選択図】図４
0003176533.tif 000002
【実用新案登録請求の範囲】
【請求項１】
前面および背面を有する本体と、
前記前面および前記背面を相互に連結する歯状側壁と
を具備し、
前記歯状側壁は、隣接する発光ダイオードモジュールにおける対応する適合形状を有する歯状側壁に当接して、該当接する歯状側壁間に歯状継ぎ目を形成するように構成されることを特徴とする発光ダイオードモジュール。
【請求項２】
請求項１に記載の発光ダイオードモジュールであって、
前記本体は、矩形形状であり、４つの歯状側壁が設けられることを特徴とする発光ダイオードモジュール。
【請求項３】
請求項１に記載の発光ダイオードモジュールであって、
前記歯状側壁は、該歯状側壁の全長に沿って複数の歯部を有し、
前記複数の歯部は、それらの間で複数の凹部をなすことを特徴とする発光ダイオードモジュール。
【請求項４】
請求項３に記載の発光ダイオードモジュールであって、
前記複数の歯部はそれぞれ台形プリズム形状を有し、
前記複数の凹部はそれぞれ逆台形プリズム形状を有することを特徴とする発光ダイオードモジュール。
【請求項５】
複数の歯状側壁をそれぞれ有する複数の発光ダイオードモジュールを有する発光ダイオードモジュールアレイを具備し、
前記複数の歯状側壁はそれぞれ、隣接する発光ダイオードモジュールにおける対応する適合形状を有する歯状側壁に当接して、該当接する歯状側壁間に歯状継ぎ目を形成するように構成されることを特徴とする発光ダイオードディスプレイ。
【請求項６】
請求項５に記載の発光ダイオードディスプレイであって、
前記発光ダイオードモジュールはそれぞれ、矩形状であり、４つの歯状側壁が設けられることを特徴とする発光ダイオードディスプレイ。
【請求項７】
請求項５に記載の発光ダイオードディスプレイであって、
前記歯状側壁は、それぞれ該歯状側壁の全長に沿って複数の歯部を有し、
前記複数の歯部は、それらの間で複数の凹部をなすことを特徴とする発光ダイオードディスプレイ。
【請求項８】
請求項７に記載の発光ダイオードディスプレイであって、
前記複数の歯部はそれぞれ台形プリズム形状を有し、
前記複数の凹部はそれぞれ逆さ台形プリズム形状を有することを特徴とする発光ダイオードディスプレイ。
【請求項９】
請求項５に記載の発光ダイオードディスプレイであって、
前記発光ダイオードモジュールアレイは格子状に配置され、
前記歯状継ぎ目は前記発光ダイオードモジュールアレイにわたって縦横に延びることを特徴とする発光ダイオードディスプレイ。
【考案の詳細な説明】
【技術分野】
【０００１】
本考案は、歯状側壁を有する発光ダイオード（ＬＥＤ）モジュールと、該発光ダイオードモジュールアレイから組み立てられる発光ダイオードディスプレイとに関する。
【背景技術】
【０００２】
従来の矩形状発光ダイオードモジュールは４つの直線状側壁を有する。これらの従来の矩形状発光ダイオードモジュールを並べて組み立てることによって大型の矩形状発光ダイオードディスプレイを形成すると、隣接する発光ダイオードモジュールの互いに当接する直線状側壁間に直線状の縦横の継ぎ目または格子線が形成される。大型の発光ダイオードディスプレイを遠くから見ると、これらの格子線が視認されてしまう。これらの視認可能な格子線の存在により、発光ダイオードディスプレイの全体的な外観が損なわれると共にその効果に悪影響が及ぼされる可能性がある。
【考案の概要】
【考案が解決しようとする課題】
【０００３】
したがって、発光ダイオードモジュールアレイから組み立てられる大型の発光ダイオードディスプレイの視認可能な格子線を削減または排除することができる改善された発光ダイオードモジュールを製造する必要がある。
【課題を解決するための手段】
【０００４】
本考案の一態様によれば、前面および背面を有する本体と、上記前面および上記背面を相互に連結する歯状側壁とを具備する発光ダイオードモジュールが提供される。上記歯状側壁は、隣接する発光ダイオードモジュールにおける対応する適合形状を有する歯状側壁に当接して、該当接する歯状側壁間に歯状継ぎ目を形成するように構成される。
【０００５】
上記本体は、矩形状であってもよく、４つの歯状側壁が設けられてもよい。上記歯状側壁は、該歯状側壁の全長に沿って複数の歯部を有してもよく、上記複数の歯部は、それらの間で複数の凹部をなしている。上記複数の歯部はそれぞれ台形プリズム形状を有してもよく、上記複数の凹部はそれぞれ逆台形プリズム形状を有してもよい。
【０００６】
本考案の他の態様によれば、発光ダイオードモジュールアレイを具備する発光ダイオードディスプレイが提供される。複数の発光ダイオードモジュールはそれぞれ複数の歯状側壁を有してもよい。上記複数の歯状側壁は、隣接する発光ダイオードモジュールにおける対応する適合形状を有する歯状側壁に当接して、該当接する歯状側壁間に歯状継ぎ目を形成するようにそれぞれ構成される。
【０００７】
上記発光ダイオードモジュールはそれぞれ、矩形状であってもよく、４つの歯状側壁が設けられてもよい。上記歯状側壁は、それぞれ該歯状側壁の全長に沿って形成された複数の歯部を有してもよく、上記複数の歯部は、それらの間で複数の凹部をなしている。上記複数の歯部はそれぞれ台形プリズム形状を有してもよく、上記複数の凹部はそれぞれ逆台形プリズム形状を有してもよい。
【０００８】
上記発光ダイオードモジュールアレイは格子状に配置されてもよく、上記歯状継ぎ目は上記発光ダイオードモジュールアレイにわたって縦横に延びる。
【図面の簡単な説明】
【０００９】
【図１】従来技術の発光ダイオードモジュールの斜視図である。
【図２】図１に示す発光ダイオードモジュールの正面図である。
【図３】図２に示す４つの発光ダイオードモジュールから組み立てられた発光ダイオードディスプレイの正面図である。
【図４】本考案の一実施形態に係る発光ダイオードモジュールの斜視図である。
【図５】図４に示す発光ダイオードモジュールの正面図である。
【図６】図５に示す４つの発光ダイオードモジュールから組み立てられた発光ダイオードディスプレイの正面図である。
【図７】本考案の一実施形態に係る発光ダイオードモジュールのさらなる詳細を示す正面図である。
【図８】図７に示す発光ダイオードモジュールの右側面図である。
【考案を実施するための形態】
【００１０】
本考案の具体的な実施形態を添付の図面を参照しながら例示として説明する。
【００１１】
図１および図２は、従来技術の矩形状発光ダイオードモジュール１０の図である。矩形状発光ダイオードモジュール１０の前面には、発光ダイオードモジュールアレイが設けられる。矩形状発光ダイオードモジュール１０は４つの直線状側壁１２を有する。これらの矩形状発光ダイオードモジュール１０を共に並べて組み立てることによって屋内または屋外の掲示板や広告板等のための大型の発光ダイオードディスプレイを形成することができる。
【００１２】
図３は、上記４つの矩形状発光ダイオードモジュール１０を組み合わせることによって形成される大型の矩形状発光ダイオードディスプレイ１４を示す。図示されるように、４つの矩形状発光ダイオードモジュール１０は格子状に配置される。しかし、この大型の矩形状発光ダイオードディスプレイ１４を遠くから見た場合、隣接する発光ダイオードモジュール１０の互いに当接する側壁１２間に形成された直線状の縦横の継ぎ目または格子線１６が視認されてしまう。これらの視認可能な格子線１６によって、発光ダイオードディスプレイ１４の全体的な外観が損なわれると共にその効果に影響が及ぼされる。
【００１３】
図４および図５は、本考案の一実施形態に係る発光ダイオードモジュール２０の図である。発光ダイオードモジュール２０は、前面２４および背面２６を有する本体２２を有する。前面２４には従来のように発光ダイオードアレイを設けることができる。図示の実施形態によれば、発光ダイオードモジュール２０の本体２２は、概ね正方形であり、４つの歯状側壁２８が設けられる。４つの歯状側壁２８のうち、２つは互いに対向するように横方向に配向され、他の２つは互いに対向するように縦方向に配向される。４つの歯状側壁２８は、発光ダイオードモジュール２０の前面２４および背面２６を相互に連結している。
【００１４】
歯状側壁２８はそれぞれ、複数の歯部３０を有し、当該複数の歯部３０はそれらの間で複数の凹部３２をなしている。図示の実施形態によれば、歯状側壁２８はそれぞれ、歯部３０および凹部３２を３つずつ有する。歯部３０はそれぞれ台形プリズム形状を有し、凹部３２はそれぞれ逆台形プリズム形状を有する。各歯状側壁２８は、隣接する発光ダイオードモジュール２０における対応する適合形状を有する歯状側壁２８に当接するように構成される。
【００１５】
図６は、図４の４つの発光ダイオードモジュール２０によって形成された大型の発光ダイオードディスプレイ４０を示す。４つの発光ダイオードモジュール２０は格子状に配置可能である。図示されるように、１つの発光ダイオードモジュール２０の歯状側壁２８が、隣接する発光ダイオードモジュール２０における適合形状を有する歯状側壁２８に当接する。２つの歯状側壁２８が互いに当接すると、当該当接する２つの歯状側壁２８の間に歯状継ぎ目４２が形成される。歯状継ぎ目４２は発光ダイオードモジュール２０のアレイにわたって縦横に延びる。
【００１６】
従来の直線状側壁を有する発光ダイオードモジュールを格子状に配置することによって大型の発光ダイオードディスプレイを形成する場合、互いに当接する発光ダイオードモジュール間に格子線が形成される。これらの格子線は、遠くから見た場合に容易に視認されてしまい、発光ダイオードディスプレイの全体的な外観を損なわせる。しかし、本考案の発光ダイオードモジュール２０から組み立てられた大型の発光ダイオードディスプレイ４０は、直線状の格子線も縦横の継ぎ目も形成しない。その代わりに、歯状継ぎ目４２だけが、当接する歯状側壁２８間に形成される。これらの歯状継ぎ目４２は従来の直線状の格子線と比較して視認し難い。
【００１７】
上記の図示および説明では、発光ダイオードモジュール２０は正方形であり、４つの歯状側壁２８を有するが、当業者であれば、発光ダイオードモジュール２０は、任意の他の様々な形状とすることができ、それぞれ、３つ以下または５つ以上の歯状側壁２８を有してもよいことが理解されるであろう。例えば、図６に示される正方形の発光ダイオードモジュール２０は、他の発光ダイオードモジュール２０に隣接する歯状側壁を２つしか有しておらず、他の発光ダイオードモジュール２０と当接することのない２つの側壁が一般的な直線状の側壁とされてもよい。また、発光ダイオードモジュール２０の形状は、三角形または六角形とすることもできる。
【００１８】
図７は、本考案の一実施形態に係る発光ダイオードモジュール５０の正面図をさらに詳細に示す。
【００１９】
発光ダイオードモジュール５０は、前面５４および背面５６を有する。発光ダイオードアレイ６０が発光ダイオードモジュール５０の前面５４に備えられる。図８に最も良く示されているように、日光による干渉で発光ダイオードアレイ６０から出射される光の強度が低下することを防止するために、横に延びる複数の日除け突出部６２を前面５４に形成することができる。
【００２０】
発光ダイオードモジュール５０は、概ね正方形であり、４つの歯状側壁６８が設けられる。歯状側壁６８はそれぞれ、複数の歯部７０を有し、当該複数の歯部７０は、それらの間で複数の凹部７２をなしている。図示の実施形態によれば、歯状側壁６８はそれぞれ、歯部７０および凹部７２を４つずつ有する。歯部７０はそれぞれ台形プリズム形状を有し、凹部７２はそれぞれ逆台形プリズム形状を有する。各歯状側壁６８は、隣接する発光ダイオードモジュール５０における適合形状を有する他の歯状側壁６８に当接して歯状継ぎ目を形成するように構成される。
【００２１】
本考案の複数の好適な実施形態を詳しく参照して図示および説明したが、本考案の実用新案登録請求の範囲から逸脱しない限り、各種の変更や修正が可能であることに留意されたい。
【図１】
0003176533.tif 000003
【図２】
0003176533.tif 000004
【図３】
0003176533.tif 000005
【図４】
0003176533.tif 000006
【図５】
0003176533.tif 000007
【図６】
0003176533.tif 000008
【図７】
0003176533.tif 000009
【図８】
0003176533.tif 000010